(57)【要約】  本発明は、広告や所望の情報をアップロードできる表示画面を有する手指除菌剤ディスペンサーに関する。この手指除菌器は手をセンサーにかざすだけで追加操作なしに自動的に作動する。この除菌器はジェルタイプの洗剤を使用するので、乾燥装置が不要で、従来の簡単な清浄機能と除菌機能を有する。また、製品をディスプレイするコンパクトな表示装置を有する前記手指除菌器は、省エネルギー化を図ると共に、手指除菌機能を提供し、しかも、ノイズや振動なしに短時間製品の画像をディスプレイする。【選択図】図１
2010520012.tif 000002
【特許請求の範囲】
【請求項１】
手指や皮膚を清潔にするために、ノズルを介して洗剤を手指にスプレーすることによって手指を除菌消毒するヒンジ付き開閉カバーと平板状本体に覆われた壁掛け用手指除菌器において、
前記開閉カバーの前面孔に位置付けられているＬＣＤモニターが、前記本体に設けられた支持バーに着脱自在に取り付けられ、かつ、第１センサー孔に対応する第１人体検出センサーの検出信号で作動して画像を表示し、
液体伝達装置として機能する前記ノズルが消毒液収容ユニットによって開閉され、
回路収容ユニットと、第２検出センサーの検出信号で作動する電磁弁とが、ジェルタイプの手洗剤を前記モニターの後方平面上の手指に対応する位置で開口孔の内部下側に分注するように取り付けられ、
高い広告性を有する手指除菌器が、除菌機能及びモニター表示機能を提供することを特徴とする手指除菌器。
【請求項２】
前記モニターの本体の後方平面が支持脚状をなすモニター支持バーに固定的に取り付けられ、前記モニターが、ねじ式または押しボタン式のモニターコネクタを介して平板状本体の表面に着脱自在に取り付けられることによって前記後方平面と重なり合うように位置付けられている除菌ユニットを開くように構成されていることを特徴とする請求項１に記載の手指除菌器。
【請求項３】
開口部を有する前記消毒液収容ユニットが重力の位置エネルギーを得るように前記ノズルの上部に位置付けられ、前記消毒液収容ユニットの底平面の仕切り板で仕切られた移動経路上に逆直立する前記ノズルが固定的に垂直接続されていて、前記手洗剤のジェルパックの出口を介して自重で落下する液体を定期的に排出する液体伝達機構によって前記ジェルタイプの手洗剤を分注することを特徴とする請求項１記載の手指除菌器。
【発明の詳細な説明】
【技術分野】
【０００１】
本発明は、広告や所望の情報をアップロードできる表示画面を有する手指除菌剤ディスペンサーに関し、この手指除菌器は手をセンサーにかざすだけで追加操作なしに自動的に作動する。
【０００２】
この除菌器はジェルタイプの洗剤を使用するので、乾燥装置・工程が不要で、従来の簡単な清浄機能と除菌機能を有する。また、製品をディスプレイするコンパクトな表示装置を有する前記手指除菌器は、エネルギーの浪費を削減し、手指除菌機能を提供し、しかも、ノイズや振動なしに短時間製品の画像をディスプレイする。
【背景技術】
【０００３】
人間の手指は最も有用な手段（道具）であるが、感染性微生物、病原微生物、及び異物を人間同士間、人間と物体間、物体間、及び身体器官相互間に直接間接に伝播する最大の媒介経路であり、人間の手指は、微生物、例えばバクテリア、菌類、リケッチア、及び原生動物類などの微生物を伝播させる最大の人工的原因であり、個人衛生手段、例えば流水と洗剤を使用する清浄または洗浄手段を通じて清潔に保たれる必要がある。
【０００４】
しかしながら、水と石鹸で頻繁に洗浄することによって手を衛生的に保つことができても、学生や会社員は手指を洗浄する習慣を身に付けていなかったり、手指洗浄に好都合な環境が整っていない場合もあることから、個人衛生が保たれるとは限らないので、アルコール入りのべとつかないジェルタイプの手洗剤が石鹸と水の有用な代替品となる。特に、手指除菌アルコール液が、消毒ジェルの自然蒸発によってバクテリアと匂いを除去し、通常の抗真菌性の石鹸よりも優れた皮膚の老化遅延効果を有し、しかも、吹き出物、膨れ、またはそう痒などの皮膚副作用を減少することは公知である。
【０００５】
一般に、手指除菌器は、さまざまな種類の洗剤、例えば固形除菌剤や液体除菌剤をスプレー、塗布、あるいは擦り込むことによって手指の表面に存在する微生物に対して静菌性または殺菌作用を行う装置であり、前記手指除菌器は、その適用方法に従って機械的に手動式手指除菌器と自動式手指除菌器とに分類される。前記手動式手指除菌器は、機械式スイッチによる信号伝達を介して消毒液をスプレーすることで手指を除菌する手指の清浄装置であり、前記自動式手指除菌器は、手指が物体検出用赤外線センサーで検出されると消毒液を自動的にスプレーする除菌装置であり、その２種の除菌器のうちでは自動式手指除菌器が好ましい。しかしながら、従来の自動式手指除菌器には、乾燥機を有する除菌ユニットが含まれ、ローションタイプの手指消毒液を手指にスプレーすることで手指を除菌し、その手指を乾燥させるという利点がある一方、前記従来の自動式手指除菌器は、消毒液スプレー装置に乾燥装置を加える必要があることから機械装置が複雑化・大型化するため、その内部でノイズ、振動及び加熱現象が発生するという欠点がある。本発明者は、あらゆるタイプの人々が使用できるとともに従来の手指除菌器の上記問題点を解決するように構成された手指除菌器の使用特性に画像情報装置を追加して本発明を完成させた。
【発明の概要】
【発明が解決しようとする課題】
【０００６】
従って、本発明の目的は、手指を清潔に保つために従来の簡単な清浄機能と除菌機能を有し、ジェルタイプの手洗剤を通じて手洗剤の機能を改善することによって特別な乾燥機を必要とせずに手をセンサーにかざすだけで追加操作なしに自動的に作動し、無接触自動手指除菌器に接続されて所望の情報をディスプレイする表示装置付き手指除菌器を提供することにある。
【課題を解決するための手段】
【０００７】
つまり、前記手指除菌器はユーザーの手指を除菌する一方、ディスプレイ機能を有するモニター装置を備える。
【０００８】
手指を清潔にするために手洗剤（１７０）をノズル（１５２）を介して手指にスプレーすることで手指を除菌消毒する壁掛け用手指除菌ユニット（１００）では、ヒンジ（１２１）及び平板状本体（１２０）を有する開閉カバー（１１０）が外装ケースを形成し、前記開閉カバー（１１０）の前方貫通孔（１１１）に近接するモニター（１３０）が、前記本体（１２０）に設けられた支持バー（１３１）に着脱自在に取り付けられて第１センサー孔（１１２）に対応する第１物体検出センサー（１１６）の検出で作動して画像を表示するように構成されており、液体伝達装置として機能する前記ノズル（１５２）は消毒液収容ユニット（１５１）によって開閉され、回路収容ユニット（１５３）と、第２手指検出センサー（１１７）の検出信号で作動する電磁弁（１５４）とが、手洗剤をスプレーするように、前記モニター（１３０）の後方下部領域の手指に対応する位置で開口孔（１１３）の内部下側に取り付けられ、さらに、広告性の高い手指除菌器が除菌機能とモニター機能とを提供する。
【０００９】
ユーザーが本発明の手指除菌器の前方に向かって移動すると、所定の角度をカバーするように取り付けられている前記第１物体検出センサー（１１６）が作動して所定の画像情報を前記モニター（１３０）に出力し、ユーザーが手指を前記開口孔（１１３）の領域にかざすと、前記開口孔（１１３）の内部に取り付けられている前記第２手指検出センサー（１１７）が作動して、べとつかないジェルタイプの手指除菌剤が自動的にスプレーされる。
【図面の簡単な説明】
【００１０】
【図１】本発明の全体構成を示す斜視図
【図２】本発明の開閉カバーが開いた状態での内部装置構成を示す図
【図３】本発明のモニター装置が開いた状態での内部構成を示す図
【図４】本発明の電気的構成を示す回路ブロック図
【図５】本発明の断面図
【図６】本発明のモニター装置の使用状態を示す例示図
【図７】本発明の手指除菌ユニットの使用状態を示す例示図
【発明を実施するための形態】
【００１１】
さまざまな実施形態で達成しようとする本発明の多くの目的と操作上の利点を十分に理解するために、本発明の設計と構成要素を添付図面を参照して説明する。
【００１２】
また、本発明の回路構成はモニター回路（１４０）と除菌回路（１６０）とに分かれており、これらの回路はそれぞれ独立して駆動させることも、互いに連結して駆動させることもでき、前記モニター回路（１４０）には、通信ユニット（１４２）、センサーユニット（１４３）、電源ユニット（１４４）、及びモニター制御ユニット（１４１）の中心に位置決めされるモニターユニット（１４５）の分周回路が含まれ、前記除菌回路（１６０）には、センサーユニット（１６２）、電磁弁（１６３）、及び除菌制御ユニット（１６１）の中心に位置決めされる電源ユニット（１６４）が含まれる。
【００１３】
前述のように、本発明には、ヒンジ（１２１）を有する前記開閉カバー（１１０）と、前記開閉カバー（１１０）に対応して開閉回転動作を行うコンパクトな不燃性の材料からなる前記本体（１２０）と、が含まれ、前記開閉カバー（１１０）と前記本体（１２０）とは、小スペースなど取り付け上の制約にかかわらず壁面に取り付けることができる矩形ケース形状をなす手指除菌器（１００）の外観を形成し、前記モニター（１３０）の画面が矩形孔開口部（１１１）を介して前記開閉カバー（１１０）の前面に露出しており、広告や公の情報などの格納情報またはリアルタイムのオンライン情報が前記第１検出センサー（１１６）の作動で前記モニター（１３０）上に表示され、前記ユニット下部の前記開口孔（１１３）に手をかざすと、前記第２手指検出センサー（１１７）が作動して２つの機能、すなわちモニター機能と、所定量のジェルタイプの洗剤を前記ノズルを介して手指にスプレーする除菌機能と、が行われる。
【００１４】
さらに、前記開閉カバー（１１０）の両側に設けられた換気開口部（１１５）のそれぞれが前記手指除菌器の内部熱を放熱し、 前記開閉カバー（１１０）を開閉させるヒンジ（１２１）と係止ユニット（１２２）とが、簡便に使用できるように前記開閉カバー（１１０）に含まれている。
【００１５】
静止画像や音声付き動画を出力する汎用表示装置として機能する前記モニター（１３０）には、遠隔制御ユニット（１４１）、マイクロプロセッサ、前記通信ユニット（１４２）、前記センサーユニット（１４３）、前記電源ユニット（１４４）、及び前記モニターユニット１４５（内蔵型）が含まれ、前記遠隔制御ユニット（１４１）により、ユーザーは動作プログラムを事前に決定することができ、検出データを解析することによって前記モニター（１３０）を制御することもできる。通信インターフェースとして機能する前記通信ユニット（１４２）はインターネットなどの通信ハブに接続されて情報を受信し、前記センサーユニット（１４３）は検出領域内の物体を検出し、さらに、前記電源ユニット（１４４）は代替電源を安定させて供給する。前記センサーユニット（１４３）の検出信号が前記モニター制御ユニット（１４１）に入力されると、格納装置（図示せず）または前記通信ユニット（１４２）から入力されるリアルタイム入力情報は前記モニター（１３０）に所定時間出力され、モニターを中央コンピュータに接続することによって、特定の場所で設定されたモニター量を制御する遠隔制御を行うこともできる。
【００１６】
前記モニター（１３０）の本体の後方平面は支持脚状の前記モニター支持バー（１３１）に固定的に取り付けられ、前記後方平面と重なり合うように位置付けられる前記モニター（１３０）は、ねじ式またはを押しボタン式のコネクタ（１３２）を介して平板状の前記本体（１２０）の表面に着脱自在に取り付けることによって除菌ユニット（１５０）を開くように構成される。
【００１７】
また、本発明に適用される前記第１検出センサー（１１６）は、前記開閉カバー（１１０）の前方平面に位置付けられる前記第１センサー孔（１１２）を介して赤外線を検出範囲内で放射することで赤外線の変化を検出し、前記第１検出センサー（１１６）は静止物体または移動物体を所定時間、例えば２秒、７秒、または１５秒で検出する停止検出機能を追加的に提供する。
【００１８】
さらに、前述のように、前記除菌ユニット（１５０）は前記モニター（１３０）の後方平面に取り付けられ、前記消毒液収容ユニット（１５１）、前記ノズル（１５２）、及び前記回路収容ユニット（１５３）を含み、前記消毒液収容ユニット（１５１）は矩形状パック入りの前記手洗剤（１７０）を収容し、ホース状の前記ノズル（１５２）は前記消毒液収容ユニット（１５１）に連結される排出ノズルを有し、前記回路収容ユニット（１５３）には、プリント基板（１５５）、前記電磁弁（１６３）及び前記第２手指検出センサー（１１７）が含まれ、手指が前記第２検出センサー（１１７）によって検出されると、前記手指用ジェルタイプの洗剤は前記電磁弁（１５４）の作動によって前記ノズル（１５２）に送り出される。
【００１９】
開口部を有する前記消毒液収容ユニット（１５１）は重力の位置エネルギーを得るように前記ノズル（１５２）の上部に位置付けられ、補充は、前記ノズル（１５２）の端部を前記手洗剤（１７０）のジェルパックの下部出口（１７１）に接続することによって容易に行われ、前記消毒液収容ユニット（１５１）の底平面の仕切り板で仕切られた移動経路上に逆直立する前記ノズル（１５２）は固定的に垂直接続されており、前記洗剤（１７０）のジェルパックの出口（１７１）を通して自重で落下する液体を定期的に排出する液体伝達機構で前記手洗剤をスプレーする。
【００２０】
前記消毒液収容ユニット（１５１）の底平面で適切な高さに位置付けられている前記開口孔（１１３）は部分的に前方平面を含むように構成されるので、前記開口孔（１１３）の領域に容易に手指を入れることができるようになっており、前記第２検出センサー（１１７）は前記開口孔（１１３）の内部に取り付けられており、前記開口孔（１１３）の内側に入れられるユーザーの手指は、前記第２センサー孔（１１４）を介して検出範囲内で赤外線を放射することによって検出される。
【００２１】
また、前述のように、前記プリント基板（１５５）に取り付けられる前記除菌制御ユニット（１６１）は、前記センサーユニット（１６２）、前記電磁弁（１６３）及び前記除菌制御ユニット（１６１）の中心に位置決めされる前記電源ユニット（１６４）を含む電気的構成を有し、物体検出用の前記センサーユニット（１６２）の信号が前記マイクロプロセッサの除菌制御ユニット（１６１）に入力されると、その制御信号は適用されて前記電磁弁（１６３）を所定時間作動させることによって前記手洗剤（１７０）を放出する。
【００２２】
なお、各構成要素の一般的な動作を制御する前記除菌制御ユニット（１６１）は独立したプログラムで動作するマイクロプロセッサを備えている。
【００２３】
前記電源ユニット（１６４）は交流電源を直流電源に変換して安定化することで安定した動作電源を装置に提供する。
【００２４】
さらに、前記ユニットのセンサーを超音波センサーに代替することもでき、表示ユニットを追加して、小スペースなどの環境に応じた設定時にユーザーが動作状態を認識できるようにすることもできる。
【００２５】
ユーザーが前記べとつかないジェルタイプの手洗剤を手に擦り込むと、前記洗剤は蒸発して手指は乾燥装置なしに乾燥するので、病原体と匂いは除去され、また、前記表示装置付き手指除菌器は、従来の簡単な独立の除菌機能を有する手指除菌器をコンピュータと情報通信技術を用いるモニターに追加することによって、インターネット・コンピュータ通信ネットワークや付加的に格納された情報を通じてリアルタイムで提供される画像情報や公共情報を出力することで、迅速かつ効率の良い積極的な広告やガイドを実現する。特に、本発明は、ファンを用いる乾燥装置を省略することでノイズと振動を削減し、その手洗剤の入れ換えが容易であり、さらに、コンパクトな壁掛け式の本発明の除菌器は、小スペースに取り付けて使用することができ、広告性を高めることで学校や専門学校などの公共スペースで効率の良い広告を行うことができる。
【図１】
2010520012.tif 000003
【図２】
2010520012.tif 000004
【図３】
2010520012.tif 000005
【図４】
2010520012.tif 000006
【図５】
2010520012.tif 000007
【図６】
2010520012.tif 000008
【図７】
2010520012.tif 000009
【国際調査報告】
2010520012.tif 000010
2010520012.tif 000011